(57)【要約】  ユーザが使え、かつネットワーク通信の可能なデバイス間のネットワークを形成し、デバイス間のネットワークにおいて第１デバイスの作動状態が変更されれば、デバイス間のネットワークにおいてユーザが現在使用中の少なくとも１つのデバイスを検索し、検索された少なくとも１つのデバイスに、第１デバイスの作動状態変更に関する情報を伝送することで、第１デバイスの作動状態変更に関する情報を他のデバイスのディスプレイ部に表示させるデバイス状態変更通知方法である。
2013524377.tif 000002
【特許請求の範囲】
【請求項１】
ユーザが使え、かつネットワーク通信の可能なデバイス間のネットワークを形成する段階と、
前記デバイス間のネットワークにおいて第１デバイスの作動状態が変更されれば、前記デバイス間のネットワークにおいて前記ユーザが現在使用中の少なくとも１つのデバイスを検索する段階と、
前記検索された現在使用中の少なくとも１つのデバイスに、前記第１デバイスの作動状態変更に関する情報を伝送する段階と、
前記第１デバイスの第１作動状態の変更に対するユーザ応答が入力されて前記第１デバイスが第２作動状態に変更された場合、前記第１デバイスの第２作動状態変更に関する情報を、前記検索された現在使用中の少なくとも１つのデバイスに伝送する段階と、を含み、
前記第１デバイスの作動状態変更に関する情報は、前記検索された少なくとも１つのデバイスにおいてそれぞれのディスプレイ部に表示されることを特徴とするデバイス状態変更通知方法。
【請求項２】
前記検索段階は、
前記第１デバイスの状態が変更された直後、前記デバイス間のネットワークにおいて前記ユーザが現在使用中の少なくとも１つのデバイスを検索することを特徴とする請求項１に記載のデバイス状態変更通知方法。
【請求項３】
前記デバイス間のネットワーク形成段階は、
前記デバイス間のネットワークを形成した後、前記第１デバイスが支援するサービスを前記ネットワークに知らせ、前記ネットワークのデバイスのうち前記第１デバイスが支援するサービスに関するイベントを処理できるデバイスのリストを登録する段階と、
前記デバイスのリストのうち、前記第１デバイスのアクセス可能な共有ネットワークにおいて前記ユーザが現在使用中のデバイスに検索する段階と、を含むことを特徴とする請求項１に記載のデバイス状態変更通知方法。
【請求項４】
前記作動状態変更に関する情報は、前記第１デバイスの作動状態変更通知情報及び前記第１デバイスの変更された作動状態に関する内容を表示する内容情報、前記第１デバイスの第１作動状態変更通知情報、前記第１作動状態に関する内容を表示する内容情報、前記第１デバイスの第２作動状態変更通知情報及び前記第２作動状態に関する内容を表示する内容情報のうち少なくとも１つを含むことを特徴とする請求項１に記載のデバイス状態変更通知方法。
【請求項５】
前記第１デバイス作動状態変更に関する情報伝送段階は、
前記第１デバイスの変更された作動状態に関する内容を、前記検索された少なくとも１つのデバイスが表示できるフォーマットに変更して伝送されることを特徴とする請求項１に記載のデバイス状態変更通知方法。
【請求項６】
ユーザが使え、かつネットワーク通信の可能な第１デバイス及び少なくとも１つのデバイスを含むデバイス間のネットワークを形成する段階と、
前記デバイス間のネットワークにおいて前記ユーザが現在使用中の少なくとも１つのデバイスを検索した前記第１デバイスから、前記ユーザが現在使用中の少なくとも１つのデバイスが前記第１デバイスの作動状態変更に関する情報を受信する段階と、
前記ユーザが現在使用中の少なくとも１つのデバイスのそれぞれのディスプレイ部に、前記第１デバイスの作動状態変更に関する情報を表示する段階と、
前記第１デバイスの第１作動状態の変更に対するユーザ応答が入力されて前記第１デバイスが第２作動状態に変更された場合、前記第１デバイスから前記第２作動状態変更に関する情報を受信する段階と、を含むことを特徴とする他のデバイス状態変更通知方法。
【請求項７】
前記他のデバイス状態変更通知方法は、
前記デバイス間のネットワークにおいて前記ユーザが現在使用中の第２デバイスは、前記ユーザが現在使用中であることを示す信号を生成する段階を含むことを特徴とする請求項６に記載の他のデバイス状態変更通知方法。
【請求項８】
前記他のデバイス状態変更通知方法は、
前記デバイス間のネットワークにおいて第２デバイスは、前記第１デバイスから受信された前記第１デバイスの状態変更情報を、前記デバイス間のネットワークにおいて前記ユーザが使用中の他のデバイスに伝達する段階をさらに含むことを特徴とする請求項６に記載の他のデバイス状態変更通知方法。
【請求項９】
前記作動状態変更に関する情報は、前記第１デバイスの作動状態変更通知情報及び前記第１デバイスの変更された作動状態に関する内容を表示する内容情報を含み、
前記第２作動状態変更に関する情報は、前記第１デバイスの第２作動状態変更通知情報及び前記第２作動状態に関する内容を表示する内容情報をさらに含むことを特徴とする請求項６に記載の他のデバイス状態変更通知方法。
【請求項１０】
前記他のデバイス状態変更通知方法は、
前記ユーザが、現在使用中の第２デバイスを通じて前記通知情報を受信確認する段階と、
前記内容情報に基づいて、前記第２デバイスに前記受信された第１デバイスの変更された作動状態に関する内容を表示する段階と、をさらに含むことを特徴とする請求項９に記載の他のデバイス状態変更通知方法。
【請求項１１】
前記他のデバイス状態変更通知方法は、
前記受信された内容情報を、前記ユーザが現在使用中の第２デバイスが表示できるフォーマットに変更する段階と、
前記変更されたフォーマットの内容情報に基づいて、前記第２デバイスに、前記第１デバイスの変更された作動状態に関する内容を表示する段階と、をさらに含むことを特徴とする請求項９に記載の他のデバイス状態変更通知方法。
【請求項１２】
ユーザが使え、かつネットワーク通信の可能なデバイス間のネットワーク通信を行うネットワーク通信部と、
前記デバイス間のネットワークにおいて第１デバイスの作動状態が変更されれば、前記デバイス間のネットワークにおいて前記ユーザが現在使用中の少なくとも１つのデバイスを検索し、前記検索された少なくとも１つのデバイスに、前記第１デバイスの作動状態変更に関する情報を生成して伝送する作動状態変更情報伝送部と、を備え、
前記第１デバイスの作動状態変更に関する情報は、前記検索された少なくとも１つのデバイスにおいてそれぞれのディスプレイ部に表示され、前記作動状態変更情報伝送部は、前記第１デバイスの第１作動状態の変更に対するユーザ応答が入力されて前記第１デバイスが第２作動状態に変更された場合、前記第１デバイスの第２作動状態変更に関する情報を、前記検索された少なくとも１つのデバイスに伝送することを特徴とするデバイス状態変更通知の可能なデバイス。
【請求項１３】
ユーザが使え、かつネットワーク通信の可能な第１デバイスを含むデバイス間のネットワーク通信を行うネットワーク通信部と、
前記デバイス間のネットワークにおいて前記ユーザが現在使用中の少なくとも１つのデバイスを検索した前記第１デバイスから、前記第１デバイスの作動状態変更に関する情報を受信する他のデバイス作動状態変更情報受信部と、
ディスプレイ部と、
前記ディスプレイ部に前記第１デバイスの作動状態変更に関する情報を表示するように制御する他のデバイス作動状態変更通知制御部と、を備え、
前記他デバイス作動状態変更情報受信部は、
前記第１デバイスの第１作動状態の変更に対するユーザ応答が入力されて、前記第１デバイスが第２作動状態に変更された場合、前記第１デバイスから前記第２作動状態変更に関する情報を受信することを特徴とする他のデバイス状態変更通知の可能なデバイス。
【請求項１４】
請求項１に記載のデバイス状態変更通知方法を具現するためのプログラムが記録されたコンピュータで読み取り可能な記録媒体。
【請求項１５】
請求項６に記載の他のデバイス状態変更通知方法を具現するためのプログラムが記録されたコンピュータで読み取り可能な記録媒体。
【発明の詳細な説明】
【技術分野】
【０００１】
本発明は、ネットワークを通じて構築されたデバイス間の情報共有に関する。
【背景技術】
【０００２】
大部分の電子機器は、ネットワークを通じる通信機能を備えており、多様な情報の表現のためにディスプレイ画面を備えている。ユーザが多くの電子機器を保有するにつれて、すべての電子機器を持ち歩くのは困難である。したがって、作動状態が変わった電子機器に対して、ユーザが即刻で対応できない場合が多い。
【発明の概要】
【発明が解決しようとする課題】
【０００３】
本発明は、ネットワーク通信の可能なデバイス間で状態変更に関する情報を共有するための技術に関する。
【課題を解決するための手段】
【０００４】
本発明の一実施形態によるデバイス状態変更通知方法は、ユーザが使え、かつネットワーク通信の可能なデバイス間のネットワークを形成する段階と、前記デバイス間のネットワークにおいて第１デバイスの作動状態が変更されれば、前記デバイス間のネットワークにおいて前記ユーザが現在使用中の少なくとも１つのデバイスを検索する段階と、前記検索された現在使用中の少なくとも１つのデバイスに、前記第１デバイスの作動状態変更に関する情報を伝送する段階と、を含み、前記第１デバイスの作動状態変更に関する情報は、前記検索された少なくとも１つのデバイスにおいてそれぞれのディスプレイ部に表示される。
【発明の効果】
【０００５】
デバイスの作動状態変更を通知することで、現在作動状態の変更したデバイスが、ユーザが現在使用中のデバイスを自動的に検索して、作動状態の変更したデバイスに対してユーザが効果的に反応可能にする。また、ユーザが現在使用中のデバイスを検索するために、アクセス可能なネットワーク内のデバイスが順次に検索されるので、知能的に状態変更通知情報を伝達する対象デバイスが検索される。
【図面の簡単な説明】
【０００６】
【図１】本発明の一実施形態による作動状態変更通知の可能なデバイスのブロック図である。
【図２】本発明の一実施形態による他の作動状態変更通知の可能なデバイスのブロック図である。
【図３Ａ】本発明の一実施形態によるデバイス間のネットワークを示す図面である。
【図３Ｂ】本発明の一実施形態によるデバイス間のネットワーク及びアクセス可能なネットワークの種類を示す図面である。
【図４Ａ】本発明の一実施形態によって、デバイス作動状態変更の発生した装置及び他のデバイスの状態変更通知の可能な装置間の情報交換のための第１方法を示す図面である。
【図４Ｂ】本発明の一実施形態によって、デバイス作動状態変更の発生した装置及び他のデバイスの状態変更通知の可能な装置間の情報交換のための第２方法を示す図面である。
【図４Ｃ】本発明の一実施形態によって、デバイス作動状態変更の発生した装置及び他のデバイスの状態変更通知の可能な装置間の情報交換のための第３方法を示す図面である。
【図４Ｄ】本発明の一実施形態によって、デバイス作動状態変更の発生した装置及び他のデバイスの状態変更通知の可能な装置の一例を示す図面である。
【図４Ｅ】本発明の一実施形態によって、デバイス作動状態変更の発生した装置及び他のデバイスの状態変更通知の可能な装置の使用例を示す図面である。
【図４Ｆ】本発明の一実施形態によって、デバイス作動状態変更の発生した装置及び他のデバイスの状態変更通知の可能な装置の使用例を示す図面である。
【図５】本発明の一実施形態による、デバイス状態変更通知方法のフローチャートである。
【図６】本発明の一実施形態による他のデバイス状態変更通知方法のフローチャートである。
【図７】本発明の一実施形態による第１デバイス及びデバイス間のネットワークを示す図面である。
【図８】本発明の一実施形態によって、ユーザが第１デバイスの作動状態変更に応答した場合、第１デバイスとネットワーク上の他のデバイス間の作動状態変更を通知する方法のフローチャートである。
【図９】本発明の他の実施形態によって、ユーザが第１デバイスの作動状態変更に応答した場合、第１デバイスとネットワーク上の他のデバイス間の作動状態変更を通知する方法のフローチャートである。
【発明を実施するための形態】
【０００７】
本発明の一実施形態によるデバイス状態変更通知方法は、ユーザが使え、かつネットワーク通信の可能なデバイス間のネットワークを形成する段階と、前記デバイス間のネットワークにおいて第１デバイスの作動状態が変更されれば、前記デバイス間のネットワークにおいて前記ユーザが現在使用中の少なくとも１つのデバイスを検索する段階と、前記検索された現在使用中の少なくとも１つのデバイスに、前記第１デバイスの作動状態変更に関する情報を伝送する段階と、を含み、前記第１デバイスの作動状態変更に関する情報は、前記検索された少なくとも１つのデバイスにおいてそれぞれのディスプレイ部に表示される。
【０００８】
本発明の一実施形態によるデバイス状態変更通知方法は、前記第１デバイスの第１作動状態の変更に対するユーザ応答が入力されて前記第１デバイスが第２作動状態に変更された場合、前記第１デバイスの第２作動状態変更に関する情報を、前記検索された少なくとも１つのデバイスに伝送する段階をさらに含む。前記ユーザ応答は、前記第１デバイスまたは前記少なくとも１つの検索されたデバイスに対して入力される。
【０００９】
本発明の一実施形態によるデバイス状態変更通知方法の前記検索段階は、前記第１デバイスの作動状態が変更された後、所定時間ユーザからの入力を待機する段階と、前記所定時間後、前記デバイス間のネットワークにおいて前記ユーザが現在使用中の少なくとも１つのデバイスを検索する段階と、を含む。前記所定時間は、‘０’以上の時間に設定される。本発明の一実施形態による前記検索段階は、前記第１デバイスの状態が変更された直後、前記デバイス間のネットワークにおいて前記ユーザが現在使用中の少なくとも１つのデバイスを検索できる。
【００１０】
本発明の一実施形態によるデバイス状態変更通知方法の前記検索段階は、前記デバイス間のネットワークにおいて前記ユーザが現在使用中のデバイスが検索できなければ、前記第１デバイスがアクセス可能な共有ネットワークにおいて前記ユーザが現在使用中のデバイスを検索する段階を含む。
【００１１】
本発明の一実施形態によるデバイス状態変更通知方法の前記検索段階は、前記デバイス間のネットワークにおいて前記ユーザが現在使用中のデバイスが検索できなければ、前記第１デバイスがアクセス可能なデバイスのリストを検索して、前記ユーザが現在使用中のデバイスを検索する段階を含む。
【００１２】
本発明の一実施形態による前記デバイス間のネットワーク形成段階は、前記ネットワークを形成した後、前記第１デバイスが支援するサービスを前記ネットワークに知らせ、前記ネットワークのデバイスのうち、前記サービスに関するイベントを処理できるデバイスのリストを登録する段階を含む。
【００１３】
本発明の一実施形態による前記検索段階は、前記リストのうち、前記第１デバイスがアクセス可能な共有ネットワークにおいて前記ユーザが現在使用中のデバイスで検索する段階を含む。
【００１４】
本発明の一実施形態によるデバイス状態変更通知方法の前記検索段階は、前記デバイス間のネットワークの少なくとも１つのデバイスに、前記ユーザが現在使用中のデバイスを検索するという信号を伝送する段階を含む。
【００１５】
本発明の一実施形態によるデバイス状態変更通知方法の前記検索段階は、前記デバイス間のネットワークの少なくとも１つのデバイスから、前記ユーザの現在使用如何を示す情報を受信する段階を含む。
【００１６】
本発明の一実施形態によるデバイス状態変更通知方法の前記検索段階は、前記デバイス間のネットワークの少なくとも１つのデバイスに対して、所定時間以内に前記ユーザからの入力があったか否かを探索する段階と、前記所定時間以内に前記ユーザからの入力があったデバイスを、前記ユーザが現在使用中のデバイスと判断する段階を含む。
【００１７】
本発明の一実施形態による前記作動状態変更に関する情報は、前記第１デバイスの作動状態変更通知情報及び前記第１デバイスの変更された作動状態に関する内容を表示する内容情報を含む。前記作動状態変更に関する情報は、前記第１デバイスの第１作動状態変更通知情報、前記第１作動状態に関する内容を表示する内容情報、前記第１デバイスの第２作動状態変更通知情報及び前記第２作動状態に関する内容を表示する内容情報のうち少なくとも１つを含む。
【００１８】
本発明の一実施形態による前記第１デバイス作動状態変更に関する情報伝送段階は、前記第１デバイスの変更された作動状態に関する内容を、前記検索された少なくとも１つのデバイスが表示できるフォーマットに変更して伝送される。
【００１９】
本発明の一実施形態による前記内容情報は、前記ユーザのデバイス間のネットワークの管理サーバを通じて前記検索された少なくとも１つのデバイスで再生できるフォーマットに変更されて伝送される。
【００２０】
本発明の一実施形態による前記第１デバイスの作動状態変更は、メッセージ受信を含む。
【００２１】
本発明の一実施形態によるデバイス状態変更通知方法の、前記デバイス間のネットワークに属する少なくとも１つのデバイスは、それぞれのディスプレイ部を備える。
【００２２】
本発明の一実施形態による他のデバイス状態変更通知方法は、ユーザが使え、かつネットワーク通信の可能な第１デバイス及び少なくとも１つのデバイスを含むデバイス間のネットワークを形成する段階と、前記デバイス間のネットワークにおいて前記ユーザが現在使用中の少なくとも１つのデバイスを検索した前記第１デバイスから、前記ユーザが現在使用中の少なくとも１つのデバイスが、前記第１デバイスの作動状態変更に関する情報を受信する段階と、前記ユーザが現在使用中の少なくとも１つのデバイスのそれぞれのディスプレイ部に、前記第１デバイスの作動状態変更に関する情報を表示する段階と、を含む。
【００２３】
本発明の一実施形態による前記他のデバイス状態変更通知方法は、前記第１デバイスの第１作動状態の変更に対するユーザ応答が入力されて、前記第１デバイスが第２作動状態に変更された場合、前記第１デバイスから前記第２作動状態変更に関する情報を受信する段階をさらに含む。
【００２４】
本発明の一実施形態による前記他のデバイス状態変更通知方法は、前記デバイス間のネットワークにおいて前記ユーザが現在使用中の第２デバイスは、前記ユーザが現在使用中であることを示す信号を生成する段階を含む。
【００２５】
本発明の一実施形態による前記ユーザが現在使用中であることを示す信号生成段階は、前記第１デバイスから、前記ユーザが現在使用中のデバイスを検索する信号を受信すれば、前記デバイス間のネットワークにおいて前記ユーザが現在使用中の第２デバイスは、前記ユーザが現在使用中であることを示す信号を前記第１デバイスに伝送する段階を含む。
【００２６】
本発明の一実施形態による前記他のデバイス状態変更通知方法は、前記デバイス間のネットワークにおいて第２デバイスで、前記ユーザが現在使用中であると認知されれば、前記第２デバイスは、前記ユーザが現在使用中であることを示す信号を生成して送出する段階をさらに含む。
【００２７】
本発明の一実施形態による前記ユーザが現在使用中であることを示す信号は、現在から所定時間以内に前記第２デバイスに対して前記ユーザからの入力があったか否か、前記ユーザのログイン状態及び前記ユーザに対するセンサー反応結果のうち少なくとも１つに基づいて生成される。
【００２８】
本発明の一実施形態による前記ディスプレイ部表示段階は、前記第１デバイスの状態変更通知情報を表示する画面が前記ディスプレイ部上で図示される位置またはサイズを設定する段階を含む。
【００２９】
本発明の一実施形態による前記他のデバイス状態変更通知方法は、前記デバイス間のネットワークにおいて第２デバイスは、前記第１デバイスの状態変更通知情報を前記第２デバイスのディスプレイ部に表示するか否かを設定する段階をさらに含む。
【００３０】
本発明の一実施形態による前記他のデバイス状態変更通知方法は、前記デバイス間のネットワークにおいて第２デバイスは、前記第１デバイスから受信された前記第１デバイスの状態変更情報を、前記デバイス間のネットワークにおいて前記ユーザが使用中の他のデバイスで伝達する段階をさらに含む。前記第２作動状態変更に関する情報は、前記第１デバイスの第２作動状態変更通知情報及び前記第２作動状態に関する内容を表示する内容情報をさらに含む。
【００３１】
本発明の一実施形態による前記他のデバイス状態変更通知方法は、前記ユーザが現在使用中の第２デバイスを通じて前記通知情報を受信確認する段階と、前記内容情報に基づいて、前記第２デバイスに前記受信された第１デバイスの変更された作動状態に関する内容を表示する段階と、をさらに含む。
【００３２】
本発明の一実施形態による前記他のデバイス状態変更通知方法は、前記受信された内容情報を、前記ユーザが現在使用中の第２デバイスが表示できるフォーマットに変更する段階と、前記変更されたフォーマットの内容情報に基づいて、前記第２デバイスに前記第１デバイスの変更された作動状態に関する内容を表示する段階と、をさらに含む。
【００３３】
本発明の一実施形態による前記他のデバイス状態変更通知方法は、前記受信された内容情報に基づいて、前記ユーザが現在使用中の第２デバイスに、前記第１デバイスの変更された作動状態に関する内容を表示する段階をさらに含み、前記受信された内容情報は、前記ユーザのデバイス間のネットワークの管理サーバを通じて、前記第２デバイスで再生されるフォーマットに変更された後、前記第２デバイスに受信される。
【００３４】
本発明の一実施形態による前記他のデバイス状態変更通知方法は、前記受信された内容情報に基づいて、前記ユーザが現在使用中の第２デバイスに、前記第１デバイスの変更された作動状態に関する内容を表示する段階をさらに含み、前記受信された内容情報は、前記第１デバイスで前記検索された少なくとも１つのデバイスで再生できるフォーマットに変更された後、前記第２デバイスに受信される。
【００３５】
本発明の一実施形態による作動状態変更通知可能なデバイスは、ユーザが使え、かつネットワーク通信の可能なデバイス間のネットワーク通信を行うネットワーク通信部と、前記デバイス間のネットワークにおいて第１デバイスの作動状態が変更されれば、前記デバイス間のネットワークにおいて前記ユーザが現在使用中の少なくとも１つのデバイスを検索し、前記検索された少なくとも１つのデバイスに、前記第１デバイスの作動状態変更に関する情報を生成して伝送する作動状態変更情報伝送部を備え、前記第１デバイスの作動状態変更に関する情報は、前記検索された少なくとも１つのデバイスにおいてそれぞれのディスプレイ部に表示される。
【００３６】
本発明の一実施形態による前記作動状態変更情報伝送部は、前記第１デバイスの第１作動状態の変更に対するユーザ応答が入力されて前記第１デバイスが第２作動状態に変更された場合、前記第１デバイスの第２作動状態変更に関する情報を、前記検索された少なくとも１つのデバイスに伝送できる。
【００３７】
本発明の一実施形態による他のデバイスの作動状態変更通知可能なデバイスは、ユーザが使え、かつネットワーク通信の可能な第１デバイスを含むデバイス間のネットワーク通信を行うネットワーク通信部と、前記デバイス間のネットワークにおいて前記ユーザが現在使用中の少なくとも１つのデバイスを検索した第１デバイスから、前記第１デバイスの作動状態変更に関する情報を受信する他のデバイス作動状態変更情報受信部と、ディスプレイ部と、前記ディスプレイ部に前記第１デバイスの作動状態変更に関する情報を表示するように制御する他のデバイス作動状態変更通知制御部と、を備える。
【００３８】
本発明の一実施形態による前記他のデバイス作動状態変更情報受信部は、前記第１デバイスの第１作動状態の変更に対するユーザ応答が入力されて、前記第１デバイスが第２作動状態に変更された場合、前記第１デバイスから前記第２作動状態変更に関する情報を受信できる。
【００３９】
本発明は、本発明の一実施形態によるデバイス状態変更通知方法を具現するためのプログラムが記録されたコンピュータで読み取り可能な記録媒体を含む。
【００４０】
本発明は、本発明の一実施形態による他のデバイス状態変更通知方法を具現するためのプログラムが記録されたコンピュータで読み取り可能な記録媒体を含む。
【００４１】
図１は、本発明の一実施形態による作動状態変更通知の可能なデバイスのブロック図を示す。一実施形態による作動状態変更通知の可能なデバイス１００は、ネットワーク通信部１１０及び作動状態変更情報伝送部１２０を備える。
【００４２】
一実施形態によるネットワーク通信部１１０は、ユーザが使え、かつネットワーク通信の可能なデバイス間のネットワーク通信を行う。この時、ネットワーク通信の可能なデバイスは、１人のユーザが使えるデバイスであり、相互通信可能に構築されているネットワークに属していることが望ましい。デバイス間のネットワークの一例として、無線ワイファイ（Ｗｉ−Ｆｉ）がある。但し、本発明の実施形態の作動環境は、無線ワイファイ規格によるネットワーク環境に限定されない。
【００４３】
一実施形態による作動状態変更情報伝送部１２０は、デバイス間のネットワークに属している現在デバイス１００の作動状態が変更されれば、デバイス間のネットワーク中の他のデバイスから、ユーザが現在使用中の少なくとも１つのデバイスを検索する。本発明の一実施形態による作動状態変更情報伝送部１２０は、ユーザが現在使用中であると検索された少なくとも１つのデバイスに、現在デバイス１００の作動状態変更に関する情報を生成して伝送する。
【００４４】
この時に伝送された現在デバイス１００の作動状態変更に関する情報は、ユーザが現在使用中のデバイスのディスプレイ部に、現在デバイス１００の作動状態変更如何を知らせることで、ユーザが現在デバイス１００の作動状態変化に対して対応可能にするためである。現在デバイス１００の作動状態変更情報を知らせるため、デバイス間のネットワークに属している対象デバイスは、ディスプレイ部を備えることが望ましい。
【００４５】
現在デバイス１００の作動状態変更に関する情報は、作動状態変更情報伝送部１２０からネットワーク通信部１１０を経て出力されてもよく、作動状態変更情報伝送部１２０から直接出力されてもよい。
【００４６】
一実施形態による、作動状態変更通知の可能なデバイス１００は、ネットワーキングが可能であり、かつユーザが使用可能なあらゆる種類の電子デバイスでありうる。したがって、デバイス１００の作動状態が変更された例は、多様な電子デバイスの多様な機能の作動状態が変更された例をいずれも含む。例えば、携帯電話の着信音が鳴る場合、洗濯機の洗濯動作が完了する場合、セットトップボックスに予約されたプログラムの放送開始時間になった場合、電子音源をダウンロードしている中の音響機器のダウンロードが完了する場合、電子レンジの予約料理機能の作動時間が経過した場合などが、作動状態変更通知の可能なデバイス１００の作動状態が変更された場合である。
【００４７】
また、ユーザが使用中の他のデバイスを通じて作動状態変更通知を受けるか、または機能が作動している元来のデバイス１００でデバイス自体が持っている通知機能を通じて作動状態変更を認知して、ユーザがデバイス１００に対してユーザ応答を入力する場合、デバイス１００は、これに関する状態変更情報及びユーザ応答情報をネットワーク内の他のデバイスに伝送できる。
【００４８】
例えば、電話が受信された携帯電話にて直接電話を受諾するか、または断った場合に、携帯電話のユーザインターフェースを通じて、電話受諾または拒絶如何を知らせるための情報が他のデバイスに伝送される。また、デジタルＴＶの場合、予約放送開始時間が到来したことを知らせた後、ユーザから予約放送を再生または録画するように応答を入力された場合、メディアプレーヤーの場合、コンテンツのダウンロード完了メッセージを表示した後、ユーザからメディアプレーヤーを通じてコンテンツを直接再生するように応答を入力された場合のように、デバイスの１次状態変更と、ユーザから入力されたユーザ応答によって２次状態変更とが生じた場合、状態変更情報と共に該当状態変更がユーザ応答によるものであることを示す情報を共に伝送してもよい。
【００４９】
これらのデバイス間に交換する情報に基づいて、ネットワークに連結された他のデバイスによって提供するユーザインターフェースと、元来のサービスを提供するデバイス１００が備えるユーザインターフェースとが連動される。デバイス１００のユーザインターフェースを通じて発生した２次状態変更に関する情報を、ネットワークに連結された他のデバイスに伝送して、１次状態変更によって提供したユーザインターフェースが変更されてもよい。作動状態変更通知の可能なデバイス１００は、作動状態が変更された後、所定時間ユーザがデバイス１００の作動状態変更に対する反応がない場合、所定時間が経過した後、デバイス間のネットワークを通じて、ユーザが現在使用中の他のデバイスを検索できる。例えば、デバイス１００が携帯電話である場合、着信音が２０秒間鳴ったもののユーザの反応が全然ない場合、以後からデバイス間のネットワークを通じて、ユーザが現在使用中の他のデバイスを検索できる。
【００５０】
一実施形態による作動状態変更情報伝送部１２０は、現在デバイス１００の作動状態変更に関する情報を伝送する対象デバイスである、現在ユーザが使用中のデバイスが、デバイス間のネットワーク内で検索されなければ、現在デバイス１００がアクセス可能な共有ネットワークを検索して、ユーザが使用中のデバイスを検索することもできる。また、現在デバイス１００が保有しているデバイスリストデータベースのうち他のデバイスをスキャンしてユーザが現在使用中のデバイスを検索できる。
【００５１】
一実施形態による作動状態変更情報伝送部１２０は、ユーザが現在使用中のデバイスを検索するという情報を示す検索信号を、デバイス間のネットワークの少なくとも１つのデバイスに対して伝送できる。また、検索信号の伝送なしに、現在デバイス１００が対象デバイスにアクセスして、ユーザが対象デバイスを現在使用中であるか否かを分析して、直接的にユーザが現在使用中のデバイスを検索できる。例えば、ＵＰｎＰ（Ｕｎｉｖｅｒｓａｌ  Ｐｌｕｇ  ａｎｄ  Ｐｌａｙ）プロトコルを通じてＵＰｎＰサービスが指定され、ＵＰｎＰサービスに登録されたデバイスは、現在ユーザが使用中のデバイスと見なす。
【００５２】
または、本発明の一実施形態による作動状態変更通知の可能なデバイス１００は、対象デバイスが生成して送出するユーザの現在使用如何を示す情報を獲得することで、現在デバイス１００の作動状態変更に関する情報を伝送する対象デバイスを選択できる。
【００５３】
一実施形態による作動状態変更通知の可能なデバイス１００は、デバイス作動状態変更通知機能のオン・オフ設定などにより、ユーザが選択的にデバイス作動状態変更通知機能の使用如何を設定できる。
【００５４】
一実施形態による作動状態変更に関する情報は、作動状態変更通知の可能なデバイス１００の作動状態変更通知情報及び変更された作動状態に関する内容を表示する内容情報を含む。
【００５５】
一実施形態による作動状態変更情報伝送部１２０は、作動状態変更通知の可能なデバイス１００の変更された作動状態に関する内容を、対象デバイスが表示できるフォーマットに変更して伝送できる。
【００５６】
一実施形態による内容情報は、ユーザのデバイス間のネットワークの管理サーバを通じて、対象デバイスで再生できるフォーマットに変更されて伝送される。
【００５７】
例えば、作動状態変更通知の可能なデバイス１００の変更された作動状態は、ＳＭＳ（Ｓｈｏｒｔ  Ｍｅｓｓａｇｅ  Ｓｅｒｖｉｃｅ）メッセージなどのテキスト基盤のメッセージ受信を含む。一実施形態による作動状態変更通知方式は、ＵＰｎＰ技術に基づいて活用される。一実施形態による作動状態変更通知の可能なデバイス１００のメッセージが、対象デバイスが再生できるテキスト形態のデータに変更された後、対象デバイスに表示される。また、作動状態変更通知の可能なデバイス１００が、ＭＭＳ（Ｍｕｌｔｉｍｅｄｉａ  Ｍｅｓｓａｇｅ  Ｓｅｒｖｉｃｅ）メッセージなどのイメージまたはオーディオが混合したテキスト基盤のメッセージを受信することで作動状態が変更された場合、対象デバイスが再生できるイメージまたはオーディオ及びテキスト形態のデータに変更された後、対象デバイスに表示される。
【００５８】
図２は、本発明の一実施形態による他のデバイスの作動状態変更通知の可能なデバイスのブロック図を示す。一実施形態による他のデバイスの作動状態変更通知の可能なデバイス２００は、ネットワーク通信部２０５、他のデバイス作動状態変更情報受信部２１０、他のデバイス作動状態変更通知制御部２２０及びディスプレイ部２３０を備える。他のデバイスの作動状態変更通知の可能なデバイス２００は、前記で図１を参照して記述された作動状態変更通知の可能なデバイス１００と共に、デバイス間のネットワークに属していることが望ましい。
【００５９】
一実施形態のネットワーク通信部２０５は、ユーザが使え、かつネットワーク通信の可能なデバイス間のネットワーク通信を行う。
【００６０】
一実施形態の他のデバイス作動状態変更情報受信部２１０は、デバイス間のネットワークにおいてユーザが現在使用中の少なくとも１つのデバイスを検索し、デバイス間のネットワークに属している第１デバイスから、第１デバイスの作動状態変更に関する情報を受信する。第１デバイスは、前記で図１を参照して記述された作動状態変更通知の可能なデバイス１００と相応する。
【００６１】
第１デバイスの作動状態変更に関する情報は、ネットワーク通信部２０５を経て他のデバイス作動状態変更情報受信部２１０に入力されてもよく、他のデバイス作動状態変更情報受信部２１０に直接入力されてもよい。
【００６２】
一実施形態による他のデバイスの作動状態変更通知の可能なデバイス２００は、第１デバイスからユーザが現在使用中のデバイスを検索しているという検索信号を受信できる。その検索信号によって、他のデバイスの作動状態変更通知の可能なデバイス２００は、ユーザが現在使用中であるか否かを認知して、第１デバイスに対してユーザの現在使用如何に対する信号を提供できる。
【００６３】
一実施形態による他のデバイスの作動状態変更通知の可能なデバイス２００は、第１デバイスから、第１デバイスが備えている応用サービスに対する変更通知機能と、適当なユーザインターフェースとを提供できるデバイスを検索しているという検索信号を受信する。
【００６４】
または、他のデバイスの作動状態変更通知の可能なデバイス２００は、第１デバイスが、他のデバイスの作動状態変更通知の可能なデバイス２００に直接的にアクセスして、ユーザが現在使用中であるか否かを分析するアクセス要請を受容する。
【００６５】
他のデバイスの作動状態変更通知の可能なデバイス２００は、周期的にユーザの現在使用如何に対する信号を生成して送出し、ユーザの現在使用中のデバイスを検索している第１デバイスは、他のデバイスが生成して送出している現在使用如何に対する信号を獲得して、ユーザが現在使用中のデバイスを検索できる。
【００６６】
ユーザが所定デバイスを現在使用しているか否かを判断するためには、最近所定時間以内にユーザからの指示または情報入力があったか否かを判断するか、またはユーザの該当デバイスに対するログイン如何、ユーザが該当デバイスのセンサー感知範囲以内に位置しているか否かが分析される。
【００６７】
第１デバイスに対して、予めユーザが指定したリストリストを基準として、ユーザが所定デバイスを現在使用しているか否かを判断できる。例えば、デバイス間のネットワークを形成する過程で、一種のＵＰｎＰ、ＳＳＤＰ（Ｓｉｍｐｌｅ  Ｓｅｒｖｉｃｅ  Ｄｉｓｃｏｖｅｒｙ  Ｐｒｏｔｏｃｏｌ）などのサービス発見及び登録過程を通じて登録されたデバイスが、現在使用中のデバイスと解釈される。
【００６８】
また、本発明の一実施形態による他のデバイスの作動状態変更通知の可能なデバイス２００は、第１デバイスから受信された作動状態変更通知に関する情報を、デバイス間のネットワークに属する他のデバイスに伝達してもよい。
【００６９】
一実施形態の他のデバイス作動状態変更通知制御部２２０は、ディスプレイ部２３０に第１デバイスの作動状態変更に関する情報を表示するように制御する。第１デバイスの作動状態変更に関する情報は、通知表示窓を通じて表示される。通知表示窓の位置、サイズ、透明度、フリッカー程度、色相などの表示方式は多様に設定できる。
【００７０】
一実施形態による作動状態変更に関する情報は、第１デバイスの作動状態変更通知情報、変更された作動状態に関する内容を表示する内容情報、及び変更された作動状態が第１デバイスに対するユーザ応答によって生じることを知らせる情報を含む。
【００７１】
一実施形態の他のデバイス作動状態変更通知制御部２２０は、第１デバイスの変更された作動状態に関する内容を、他のデバイスの作動状態変更通知の可能なデバイス２００が表示できるフォーマットに変更できる。
【００７２】
一実施形態による内容情報は、ユーザのデバイス間のネットワークの管理サーバを通じて対象デバイスで再生できるフォーマットに変更された後、他のデバイス作動状態変更情報受信部２１０に受信される。
【００７３】
または、他のデバイス作動状態変更情報受信部２１０は、第１デバイスが他のデバイスの作動状態変更通知の可能なデバイス２００で再生できるフォーマットのデータに変更した後、伝送された内容情報を受信できる。
【００７４】
一実施形態の他のデバイス作動状態変更通知制御部２２０は、画面に第１デバイスの作動状態変更通知情報のための受信確認窓がディスプレイ部２３０に表示されるように制御できる。ユーザから受信確認が入力されれば、再生可能なフォーマットの内容情報に基づいて、ディスプレイ部２３０に、第１デバイスの変更された作動状態に関する内容を表示できる。
【００７５】
ユーザから受信確認が入力される前に、再び第１デバイス１００からデバイス２００が状態変更情報を受信できる。この場合、第１デバイス１００に発生した状態変更が第１デバイス１００に対するユーザ応答によって発生するか否かを示す情報が、状態変更情報と共に受信される。
【００７６】
したがって、第１デバイスの変更された作動状態が短文メッセージ受信状態である場合、第１デバイスの短文メッセージが、他のデバイスの作動状態変更通知の可能なデバイス２００で再生可能なテキスト形態のデータに変更された後、ディスプレイ部２３０に表示される。また、第１デバイスがＭＭＳメッセージなどのイメージまたはオーディオが混合したテキスト基盤のメッセージを受信することで作動状態が変更された場合、他のデバイスの作動状態変更通知の可能なデバイス２００が再生できるイメージまたはオーディオ及びテキスト形態のデータに変更された後、ディスプレイ部２３０に表示される。他のデバイスの作動状態変更通知の可能なデバイス２００は、第１デバイスの作動状態変更通知情報または内容情報の受信または表示を完了した後、第１デバイスに、ユーザが作動状態変更を確認したことを知らせる。
【００７７】
一実施形態によってデバイス作動状態変更情報の相互共有が可能なネット作動状態変更通知の可能なデバイス１００、及び他のデバイスの作動状態変更通知の可能なデバイス２００を用いて、現在作動状態が変更したデバイス１００がユーザの現在使用中のデバイス２００を自動的に検索して、作動状態が変更したデバイス２００に対してユーザが効果的に反応可能にする。また、ユーザが現在使用中のデバイスを検索するために、アクセス可能なネットワーク内のデバイスが順次に検索されるので、知能的に状態変更通知情報を伝達する対象デバイスが検索される。
【００７８】
例えば、デバイス間のネットワークがＵＰｎＰサービス登録を通じて形成される場合、ＳＳＤＰプロトコルによって登録されたデバイスが、ユーザが現在使用中のデバイスと解釈される。また、ＳＳＤＰプロトコルによって登録されたデバイスのうち、ユーザが予め指定したデバイスのみが、ユーザが使用中のデバイスと解釈されてもよい。
【００７９】
前記で図１及び図２を参照して、作動状態変更通知の可能なデバイス１００及び他のデバイス作動状態変更通知の可能なデバイス２００が別に記述された。しかし、一デバイスが、作動状態変更通知の可能なデバイス１００及び他のデバイス作動状態変更通知の可能なデバイス２００の構成要素をいずれも備えて、現在デバイスの状態変更情報をデバイス間のネットワーク内の他のデバイスに対して知らせる機能、及び他のデバイスの状態変更情報を受信して通知表示窓をディスプレイする機能をいずれも実行することも可能である。
【００８０】
図３Ａは、本発明の一実施形態によるデバイス間のネットワークを示す。デバイス間のネットワーク３００に、携帯電話３０２、小型音響機器３０４、デジタルＴＶ  ３０６、デジタルカムコーダ３０８が属している。すなわち、携帯電話３０２、音響再生機器３０４、デジタルＴＶ  ３０６、デジタルカムコーダ３０８は、いずれもネットワーク通信が可能であり、同一ネットワーク内のデバイスとして相互登録されたものである。
【００８１】
例えば、携帯電話３０２が作動状態変更通知の可能なデバイス１００の一例であり、デバイス間のネットワーク３００の他のデバイスである音響再生機器３０４、デジタルＴＶ  ３０６及びデジタルカムコーダ３０８は、図２を参照して前述された他のデバイス状態変更通知の可能なデバイス２００の実施形態に該当する。
【００８２】
携帯電話３０２の着信音が鳴るものの、ユーザがこれに反応しなければ、携帯電話３０２は、デバイス間のネットワークにおいて現在作動状態変更に関する情報を伝送する対象デバイスを検索する。携帯電話３０２は、デバイス間のネットワーク３００の他のデバイスである音響再生機器３０４、デジタルＴＶ  ３０６及びデジタルカムコーダ３０８のうち、ユーザが現在使用中のデバイスを検索できる。すなわち、携帯電話３０２は、ユーザが現在使用中であると検索されたデバイスに対して、携帯電話３０２の着信音が鳴っていることを示す状態変更通知情報を伝送できる。
【００８３】
図３Ｂは、本発明の一実施形態によるデバイス間のネットワーク及びアクセス可能なネットワークの種類を示す。一実施形態による携帯電話３０２は、優先的にデバイス１００と、ユーザ情報を共有するように構築されているデバイス間のネットワーク３００に対して、ユーザが現在使用中のデバイスを検索する。但し、デバイス間のネットワーク３００で、ユーザが現在使用中のデバイスが検索されなければ、携帯電話３０２と共に洗濯機３１４及び冷蔵庫３１６を備えている共有ネットワーク３１０から副次的に、ユーザが現在使用中のデバイスを検索してもよい。
【００８４】
それ以外にも、携帯電話３０２は、隣近のインフラネットワーク３２０の他の携帯電話３２４、及びノート型パソコン３２６に対して、ユーザが現在使用中のデバイスを検索することもできる。また、携帯電話３０２が、ネットワーク通信の可能なデバイスのリストを含んでいるデバイスリストデータベース３４０を備えている場合、携帯電話３０２は、周辺のアクセス可能なネットワークからユーザが現在使用中のデバイスを検索できなければ、デバイスリストを用いてユーザが現在使用中のデバイスを検索してもよい。
【００８５】
図４Ａないし図４Ｆは、本発明の一実施形態によってデバイス作動状態変更の発生した装置と、他のデバイスの状態変更通知の可能な装置との情報交換のための方法を示す。図４Ａないし図４Ｆの実施形態で、携帯電話４０５は、作動状態変更通知の可能なデバイス１００の一例であり、デジタルＴＶ  ４１０は、他のデバイスの作動状態変更通知の可能なデバイス２００の一例である。
【００８６】
図４Ａは、本発明の一実施形態によって、デバイス作動状態変更の発生した装置と、他のデバイスの状態変更通知の可能な装置との情報交換のための第１方法を示す。
【００８７】
ユーザ４００は、リモコンを用いてデジタルＴＶ  ４１０を使用中である（段階ａ−０）。この時、他の部屋にあるユーザ４００の携帯電話４０５の着信音が鳴るが、ユーザ４００は着信音を感知できない。
【００８８】
携帯電話４０５の着信音が所定時間鳴ってもユーザ４００が全然反応しなければ、携帯電話４０５は、デバイス間のネットワークにおいてユーザ４００が現在使用中のデバイスを検索する検索信号をデジタルＴＶ  ４１０に伝送する（段階ａ−１）。
【００８９】
携帯電話４０５は、デジタルＴＶ  ４１０をユーザ４００が現在使用しているか否かを確認する（段階ａ−２）。この場合、デジタルＴＶ  ４１０は、携帯電話４０５のアクセス許容要請を受諾するか、携帯電話４０５から要請されたユーザ４００の現在使用に関する情報を提供することが望ましい。
【００９０】
または、ユーザ４００が現在デジタルＴＶ  ４１０を使用しているか否かを判断するためには、最近所定時間内にユーザ４００から入力信号または指示があったどうかに関するヒストリーが分析される。デジタルＴＶ  ４１０にユーザ４００がログインしたか否か、またはデジタルＴＶ  ４１０に装着された各種センサーにユーザ４００が感知されているか否かを用いて、ユーザ４００が現在デジタルＴＶ  ４１０を使っているか否かも判断される。
【００９１】
ユーザ４００がデジタルＴＶ  ４１０を使っていると確認されたならば、携帯電話４０５は、デジタルＴＶ  ４１０に対して、着信音が鳴っているという情報、すなわち、状態変更通知情報を伝送する（段階ａ−３）。
【００９２】
デジタルＴＶ  ４１０は、携帯電話４０５から着信音が鳴っているという通知情報を受信し、デジタルＴＶ  ４１０のディスプレイ画面の一部領域４２０にユーザ４００の携帯電話４０５の着信音が鳴っているという情報を表示する（段階ａ−４）。
【００９３】
図４Ｂは、本発明の一実施形態によって、デバイス作動状態変更の発生した装置と、他のデバイスの状態変更通知の可能な装置との情報交換のための第２方法を示す。
【００９４】
ユーザ４００は、リモコンを用いてデジタルＴＶ  ４１０を使用中（段階ｂ−０）であり、他の部屋にあるユーザ４００の携帯電話４０５の着信音が鳴っているが、ユーザ４００は着信音を感知できない。
【００９５】
携帯電話４０５の着信音が所定時間鳴ってもユーザ４００が全然反応しなければ、携帯電話４０５は、デバイス間のネットワークにおいてユーザ４００が現在使用中のデバイスを検索する検索信号をデジタルＴＶ  ４１０に伝送する（段階ｂ−１）。
【００９６】
デジタルＴＶ  ４１０は、携帯電話４０５の検索信号を受信し、ユーザ４００の現在使用状態を認知する（段階ｂ−２）。デジタルＴＶ  ４１０が、ユーザ４００が現在デジタルＴＶ  ４１０を使用しているか否かを判断する場合にも、最近所定時間内にユーザ４００から入力信号または指示があったか否か、ユーザ４００のログイン状態、またはデジタルＴＶ  ４１０に装着された各種センサーにユーザ４００が感知されているか否かなどが分析される。
【００９７】
ユーザ４００がデジタルＴＶ  ４１０を使っていると確認されたならば、デジタルＴＶ  ４１０は、携帯電話４０５に対して、ユーザ４００が現在デジタルＴＶ  ４１０を使用中という使用状態信号を伝送する（段階ｂ−３）。
【００９８】
携帯電話４０５は、デジタルＴＶ  ４１０に対して、着信音が鳴っているという情報、すなわち、状態変更通知情報を伝送する（段階ｂ−４）。
【００９９】
デジタルＴＶ  ４１０は、携帯電話４０５から着信音が鳴っているという通知情報を受信し、デジタルＴＶ  ４１０のディスプレイ画面の一部領域４２０に、ユーザ４００の携帯電話４０５の着信音が鳴っているという情報を表示する（段階ｂ−５）。
【０１００】
図４Ｃは、本発明の一実施形態によって、デバイス作動状態変更の発生した装置と、他のデバイスの状態変更通知の可能な装置との情報交換のための第３方法を示す。
【０１０１】
ユーザ４００は、リモコンを用いてデジタルＴＶ  ４１０を使用中（段階ｃ−０）であり、他の部屋にあるユーザ４００の携帯電話４０５の着信音が鳴っているが、ユーザ４００は着信音を感知できない。
【０１０２】
デジタルＴＶ  ４１０は、随時にユーザ４００の使用状態に関して認知する（段階ｃ−１）。もし、ユーザ４００がデジタルＴＶ  ４１０を現在使っているならば、デジタルＴＶ  ４１０は、ユーザ４００の現在使用状態についての信号を送出する（段階ｃ−２）。
【０１０３】
携帯電話４０５の着信音が所定時間鳴っても、ユーザ４００が全然反応しなければ、携帯電話４０５は、デバイス間のネットワークにおいてユーザ４００が現在使用中のデバイスを検索する（段階ｃ−３）。
【０１０４】
携帯電話４０５は、デジタルＴＶ  ４１０が送出しているユーザ４００の現在使用状態についての信号を獲得して、ユーザ４００が現在デジタルＴＶ  ４１０を使っているという事実を確認する（段階ｃ−４）。
【０１０５】
携帯電話４０５は、デジタルＴＶ  ４１０に対して、着信音が鳴っているという情報、すなわち状態変更通知情報を伝送する（段階ｃ−５）。
【０１０６】
デジタルＴＶ  ４１０は、携帯電話４０５から着信音が鳴っているという通知情報を受信し、デジタルＴＶ  ４１０のディスプレイ画面の一部領域４２０に、ユーザ４００の携帯電話４０５の着信音が鳴っているという情報を表示する（段階ｃ−６）。
【０１０７】
以下、図４Ｄないし図４Ｆを参照して、ユーザ４００の携帯電話４０５にメッセージが受信された場合に、デバイス作動状態変更が発生した携帯電話４０５、及び他のデバイスの状態変更通知の可能なデジタルＴＶ  ４１０の実施形態が図示される。
【０１０８】
図４Ｄは、本発明の一実施形態によって、デバイス作動状態変更の発生した装置及び他のデバイスの状態変更通知の可能な装置の一例を示す。
【０１０９】
ユーザ４００は、リモコンを用いてデジタルＴＶ  ４１０を使用中であり、他の部屋にある携帯電話４０５にＳＭＳメッセージが受信された状態４０７であるが、ユーザ４００は、ＳＭＳメッセージ受信状態を感知できない。
【０１１０】
デバイス間の作動状態変更に関する情報交換のために、前述した第１方法、第２方法及び第３方法などを通じて、携帯電話４０５及びデジタルＴＶ  ４１０は、メッセージ受信状態に関する情報を交換できる。
【０１１１】
デジタルＴＶ  ４１０は、携帯電話４０５のＳＭＳメッセージ受信状態を示す通知情報を受信し、デジタルＴＶ  ４１０のディスプレイ画面の一部領域４２５に、ユーザ４００の携帯電話４０５にＳＭＳメッセージが到着したという情報が表示される。
【０１１２】
図４Ｅ及び図４Ｆは、本発明の一実施形態によって、デバイス作動状態変更の発生した装置及び他のデバイスの状態変更通知の可能な装置の使用例を示す。
【０１１３】
デジタルＴＶ  ４１０は、携帯電話４０５のＳＭＳメッセージ受信状態を示す通知情報と共に、ＳＭＳメッセージの内容を示す内容情報を受信できる。デジタルＴＶ  ４１０は、通知情報に基づいて、画面にメッセージ到着通知窓４３０を表示し、ユーザからＳＭＳメッセージを確認するか否かを入力される。
【０１１４】
ユーザ４００がデジタルＴＶ  ４１０を通じて通知情報を受信確認すれば、受信されたＳＭＳメッセージ内容情報に基づいて、デジタルＴＶ  ４１０は、携帯電話４０５のＳＭＳメッセージ表示窓４３５を画面に表示できる。
【０１１５】
受信された内容情報のＳＭＳメッセージが、デジタルＴＶ  ４１０で再生して画面に表示できるフォーマットでなければ、デジタルＴＶ  ４１０は、再生可能なフォーマットのデータに変更してＳＭＳメッセージ表示窓４３５を画面に表示できる。
【０１１６】
またはユーザのデバイス間のネットワークの管理サーバが、デジタルＴＶ  ４１０で再生できるフォーマットに変更したＳＭＳメッセージ情報を伝送し、デジタルＴＶ  ４１０がフォーマット変更されたＳＭＳメッセージ情報を受信して、ＳＭＳメッセージ表示窓４３５を画面に表示できる。
【０１１７】
またはユーザの携帯電話４０５が、デジタルＴＶ  ４１０で再生できるフォーマットに変更したＳＭＳメッセージ情報を伝送し、デジタルＴＶ  ４１０がフォーマット変更されたＳＭＳメッセージ情報を受信して、ＳＭＳメッセージ表示窓４３５を画面に表示できる。
【０１１８】
例えば、携帯電話４０５がＳＭＳメッセージなどのテキスト基盤のメッセージを受信した場合、デジタルＴＶ  ４１０が再生できるテキスト形態のデータに変更された後、デジタルＴＶ  ４１０に表示される。また、携帯電話４０５がＭＭＳメッセージなどのイメージまたはオーディオが混合したテキスト基盤のメッセージを受信することで作動状態が変更された場合、デジタルＴＶ  ４１０が再生できるイメージ、オーディオ及びテキストなどを含むデータに変更された後、対象デバイスに表示される。
【０１１９】
デジタルＴＶ  ４１０は、携帯電話４０５のメッセージ受信に対する通知情報またはメッセージ内容情報の受信または表示を完了した後、携帯電話４０５に対してユーザがメッセージ受信を確認したことを知らせる。
【０１２０】
以上の図１、図２、図３Ａ及び図３Ｂ、図４Ａないし図４Ｆを参照して記述された一実施形態によるデバイス状態変更通知の可能なデバイス１００、及び一実施形態による他のデバイス状態変更通知の可能なデバイス２００は、デバイス間のネットワークを管理制御するホームサーバなどの中央サーバの制御によって作動する。
【０１２１】
図５は、本発明の一実施形態によるデバイス状態変更通知方法のフローチャートを示す。段階５１０で、ユーザが使え、かつネットワーク通信の可能なデバイス間のネットワークが形成される。ユーザのデバイスは、デバイス間のネットワークに登録することで従属される。
【０１２２】
段階５２０で、デバイス間のネットワークにおいて第１デバイスの作動状態が変更されれば、デバイス間のネットワークにおいてユーザが現在使用中の少なくとも１つのデバイスが検索される。第１デバイスは、予め構築されたデバイス間のネットワークにおいてユーザが現在使用中のデバイスを検索する。
【０１２３】
ユーザが現在使用中のデバイスを検索する方法には、デバイスに対してユーザの現在使用状態情報を要請するか、またはデバイスの作動ヒストリーを直接分析するか、またはデバイスが送出しているユーザの現在使用状態情報を獲得する方法などがある。
【０１２４】
段階５３０で、ユーザが現在使用中であると検索された少なくとも１つのデバイスに対して、第１デバイスの作動状態変更に関する情報が伝送される。第１デバイスの作動状態変更に関する情報は、検索されたデバイスのディスプレイ部に表示されるので、ユーザは現在使っている第２デバイスのディスプレイ部から、第１デバイスの状態変更に関する情報が得られる。
【０１２５】
第１デバイスの作動状態変更に関する情報は、作動状態変更の通知情報及び変更された作動状態に関する内容情報を含む。第１デバイスの内容情報は、第１デバイスまたはデバイス間のネットワークのサーバを通じて、第２デバイスで再生されるフォーマットのデータに変更されて伝送される。
【０１２６】
図６は、本発明の一実施形態による他のデバイス状態変更通知方法のフローチャートを示す。段階６１０で、ユーザが使え、かつネットワーク通信の可能な第１デバイス、及び少なくとも１つのデバイスを含むデバイス間のネットワークが形成される。
【０１２７】
段階６２０で、デバイス間のネットワークにおいてユーザが現在使用中の少なくとも１つのデバイスを検索した第１デバイスから、ユーザが現在使用中の少なくとも１つのデバイスに第１デバイスの作動状態変更に関する情報が受信される。第１デバイスから、ユーザが現在使用中の少なくとも１つのデバイスを検索する検索信号を受信できる。
【０１２８】
検索信号を受信したデバイスは、ユーザが現在使用中であるか否かを確認できる。ユーザが現在使用中のデバイスが現在ユーザが使用中であるか否かを示す情報を送出してもよく、第１デバイスが他のデバイスに直接アクセスして、ユーザが現在使用中であるか否かを分析してもよい。
【０１２９】
段階６３０で、ユーザが現在使用中の少なくとも１つのデバイスのそれぞれのディスプレイ部に、第１デバイスの作動状態変更に関する情報が表示される。第１デバイスの作動状態変更に関する情報が表示される通知表示窓がディスプレイ画面に表示されるサイズ、位置、フリッカー程度、色相、透明度などの表示方式は、ユーザの設定によって多様に変更される。
【０１３０】
ユーザが現在使用中のデバイスは、第１デバイスの作動状態変更通知表示窓をディスプレイ画面に表示した後、ユーザから受信確認如何が入力される。ユーザの受信確認後、第１デバイスの変更された作動状態の内容が、ユーザが現在使用中のデバイスのディスプレイ画面に表示される。
【０１３１】
第１デバイスの内容情報が、現在使用中のデバイスで再生できないフォーマットならば、現在使用中のデバイスによって再生可能なフォーマットのデータに変更された後、ディスプレイ画面に表示される。または、第１デバイスまたはデバイス間のネットワークのサーバを通じて、ユーザが現在使用中のデバイスで再生されるフォーマットのデータに変更された第１デバイスの内容情報が、現在使用中のデバイスで受信されることができる。また、第１デバイスによって、第１デバイスの内容情報がユーザが現在使用中のデバイスのディスプレイ画面で再生できるフォーマットのデータに変更された後で伝送され、現在使用中のデバイスが第１デバイスによって変更されたフォーマットの内容情報を受信して、ディスプレイ画面に第１デバイスの変更された作動状態に関する内容を再生できる。
【０１３２】
図７は、本発明の一実施形態による第１デバイス及びデバイス間のネットワークを示す。
【０１３３】
一実施形態による第１デバイスは、ユーザ７００の携帯電話７２０であり、一実施形態によるデバイス間のネットワークは、ユーザ７００の携帯電話７２０、無線中継機７４０、パソコン７５０及びＴＶ  ７３０で構成されたホームネットワーク７１０である。ユーザの携帯電話７２０、無線中継機７４０、コンピュータモニタ７５０及びＴＶ  ７３０は、それぞれ無線通信を支援する。一実施形態によれば、ユーザ７００は、家では携帯電話７２０を携帯していないが、パソコン７５０及びＴＶ  ７３０などを通じて携帯電話７２０のサービスを提供される。ネットワーキング機能及びディスプレイ画面を持っているパソコン７５０とＴＶ  ７３０は、ホームネットワーク７１０を通じて、外部の携帯電話７６０からユーザの携帯電話７２０に伝送された呼出し（ｃａｌｌ）信号の受信サービスなどを、ディスプレイ画面に代わりに表示または再生できる。特に、ディスプレイ画面を通じて現在携帯電話７２０で発生したイベントの内容がユーザ７００に公知される。
【０１３４】
また、適当なユーザ入力に基づいて、携帯電話７２０の番号を通じて移動通信網やＷｉ−Ｆｉ網のホームネットワークに呼出し信号が受信されれば、携帯電話７２０が呼出し信号を直接受信するように設定されてもよく、ＴＶ  ７３０やパソコン７５０のウェブカムやマイクを通じて、ＴＶ  ７３０やパソコン７５０のテレビ電話機能を用いて呼出し信号に応答できるように設定されてもよい。テレビ電話である場合に、ＴＶ  ７３０やパソコン７５０は携帯電話７２０よりは大きいディスプレイ画面を持っているので、ユーザがテレビ電話を用いるのにさらに便利である。
【０１３５】
ＴＶ  ７３０やパソコン７５０は、ユーザが現在使っているＴＶ  ７３０やパソコン７５０を通じて呼出し信号の受信イベントに応答するか、または携帯電話７２０を用いて応答するかを選択するためのユーザインターフェースを提供できる。例えば、ＴＶ  ７３０やパソコン７５０が呼出し信号に対する応答を命令するユーザ入力を受信し、この応答命令を、ホームネットワーク７１０を通じて携帯電話７２０に伝送すれば、携帯電話７２０は、ユーザ７００が使っているＴＶ  ７３０やパソコン７５０に外部の携帯電話７６０との電話を連結し、受信された映像情報または音声情報を伝達できる。
【０１３６】
また、ホームネットワーク７１０内のＴＶ  ７３０やパソコン７５０などの多様なデバイスを通じて、ユーザ７００が呼出し信号の受信イベントを受信するとしても、ユーザ７００は、携帯電話７２０を用いて直接呼出し信号に対して応答を受諾できる。かかる場合、ユーザ７００が携帯電話７２０にて呼出し信号に対して電話連結を受諾するように応答した場合、これに対する状態変更内容が、ホームネットワーク７１０内のＴＶ  ７３０やパソコン７５０などの他のデバイスに伝達される。
【０１３７】
携帯電話７２０の状態変更に関する情報は、電話連結状態に関する情報だけでなく、どのデバイスを通じて電話連結されかについての情報も含む。ユーザ７００が携帯電話７２０にて呼出し信号の受信に対して応答して、すでに携帯電話７２０で電話が連結されているならば、以前に呼出し信号の受信に対するイベント内容を表示しているＴＶ  ７３０やパソコン７５０のディスプレイ画面では、ユーザ７００が携帯電話７２０で電話を受諾したことを公知するか、またはこれによる適当なユーザインターフェースを提供できる。
【０１３８】
すなわち、受信される電話イベントに対して携帯電話７２０がＴＶ  ７３０やパソコン７５０などの他のデバイスに状態情報を伝送した後、ユーザ７００がテレフォニークライアントが搭載された携帯電話７２０で電話を受諾または拒絶する場合、これに対する呼出し信号に対する応答が行われたことを示す状態情報が、他のデバイスに同様に伝送されねばならない。この時、ユーザ７００が‘携帯電話７２０を通じて’電話を受諾または拒絶したことを知らせる情報が、‘電話を受諾または拒絶したことを知らせる’呼出し信号応答状態情報と共に伝送されるならば、ＴＶ  ７３０やパソコン７５０を通じて電話を受諾または拒絶した場合と区別される。
【０１３９】
したがって、本発明の一実施形態によるデバイス状態変更通知方法は、テレフォニークライアントが搭載された携帯電話７２０にて、ホームネットワーク７１０内に連結された他のデバイスに、携帯電話７２０のテレフォニークライアントの作動状態変更を知らせ、状態変更に対する多様な応答如何と、状態変更を引き起こした事由に関する情報も共に伝送できる。
【０１４０】
また、本発明の一実施形態によるデバイス状態変更通知方法は、テレフォニークライアントが搭載されていないホームネットワーク７１０内のデバイスでテレフォニーサービスが使われる時、ユーザ７００が、テレフォニークライアントの搭載されていないホームネットワーク７１０内のデバイスに対して、呼出し信号に対する適宜な応答を行えるようにするためのユーザインターフェースを提供できる。
【０１４１】
例えば、携帯電話７２０は、呼出し信号の受信メッセージを外部ネットワークや電話網を通じて伝送し、ＴＶ  ７３０やパソコン７５０に、現在携帯電話７２０が呼出し信号の受信中状態であると知らせる。もしＴＶ  ７３０やパソコン７５０が映像や音声処理に関するメディアエンジンを搭載している場合、ＴＶ  ７３０やパソコン７５０を通じてユーザ７００が呼出し信号に対して応答することを希望すれば、ＴＶ  ７３０やパソコン７５０を通じて電話連結受諾しようとするメッセージを携帯電話７２０に伝送できる。
【０１４２】
もし、ユーザがＴＶ  ７３０やパソコン７５０を通じて呼出し信号の受信に対するイベントを知らされたとしても、携帯電話７２０を通じて電話を受信するために、携帯電話７２０のテレフォニークライアントで電話を受諾すれば、携帯電話７２０は、電話応答メッセージを相手の携帯電話７６０に伝送し、電話が連結される。
【０１４３】
この場合、携帯電話７２０は、‘携帯電話７２０を通じて’‘電話が連結された状態’であることを示す状態変更情報をＴＶ  ７３０やパソコン７５０に伝送でき、ＴＶ  ７３０やパソコン７５０は、以前に受信された呼出し信号が連結されたことを認知して、携帯電話７２０の変更された作動状態で入力できる、次のユーザ入力のためのユーザインターフェースを提供できる。例えば、ＴＶ  ７３０やパソコン７５０は、携帯電話７２０への呼出し信号の受信を知らせるお知らせ維持インターフェースは削除し、電話通話後に電話を切る電話終了用ボタンを提供するユーザインターフェースをディスプレイ画面上に表示できる。電話通話後、他のデバイスのディスプレイ画面上の終了ボタンを活性化しないように、他のデバイスのユーザインターフェースを制御してもよい。
【０１４４】
したがって、ホームネットワーク７１０内の他のデバイスを用いているユーザ７００は、いかなるデバイスを使用していても電話受信に関する適当な情報を提供されうる。
【０１４５】
図８は、本発明の一実施形態によって、ユーザが第１デバイスの作動状態変更に応答した場合、第１デバイスとネットワーク上の他のデバイス間の作動状態変更を通知する方法のフローチャートを示す。
【０１４６】
一実施形態による第１デバイスに当るテレフォニーサーバ（ＴＳ）であるユーザの携帯電話８２０と、ＴＣＰ（Ｔｒａｎｓｍｉｓｓｉｏｎ  Ｃｏｎｔｒｏｌ  Ｐｒｏｔｏｃｏｌ）基盤のＴＶ  ８４０とがネットワークを構成する。
【０１４７】
広域網８１０（Ｗｉｄｅ  Ａｒｅａ  Ｎｅｔｗｏｒｋ；ＷＡＮ）を通じて、発信者からユーザの携帯電話８２０に対して呼出し信号が要請（ＩＮＶＩＴＥ）され（ｓ８１２）、ユーザの携帯電話８２０に呼出し信号が受信されている（Ｒｉｎｇｉｎｇ）ことが、広域網８１０を通じて発信者に通知される（ｓ８２２）。
【０１４８】
携帯電話８２０に現在電話がかかっている（Ｒｉｎｇｉｎｇ）ことを、ＴＶ  ８４０に対して通知（ＥＶＥＮＴ  ＮＯＴＩＦＹ）できる（ｓ８２４）。すなわち、ユーザの携帯電話８２０は、ホームネットワーク内のＴＶ  ８４０に対して、現在呼出し信号の受信中であるということを知らせる作動状態変更情報を伝送できる。ＴＶ  ８４０は、ディスプレイ画面上に電話がかかっていることを公知（Ｃａｌｌ  ＮＯＴＩＦＩＣＡＴＩＯＮ）するためのユーザインターフェースを表示できる（ｓ８４２）。
【０１４９】
ユーザが、携帯電話８２０を通じて電話連結を受諾するように呼出し信号に対して応答する（ｓ８２６）。これによって、携帯電話８２０は発信者に受諾メッセージ（２００  ＯＫ）を伝送し（ｓ８２８）、ＴＶ  ８４０に対して‘携帯電話を通じて電話連結が受諾される（ＡｃｃｅｐｔｅｄＯｎＭｏｂ）’を通知（ＥＶＮＥＴ  ＮＯＴＩＦＹ）できる（ｓ８３０）。これによって、ＴＶ  ８４０は、ディスプレイ画面上で電話がかかっていることを知らせる（Ｃａｌｌ  ＮＯＴＩＦＩＣＡＴＩＯＮ）ためのユーザインターフェースを削除し、携帯電話を通じて電話が受諾されることを公知（Ａｃｃｅｐｔｅｄ  ｏｎ  Ｍｏｂｉｌｅ  Ｎｏｔｉｆｉｃａｔｉｏｎ）するためのユーザインターフェースを新たに表示できる（ｓ８４４）。
【０１５０】
したがって、本発明の一実施形態によるデバイス状態変更通知方法及び他のデバイス状態変更通知方法によれば、‘ユーザが携帯電話８２０を通じて電話を受諾’して‘電話連結された状態’の２つの情報を含む作動状態変更情報がＴＶ  ８４０に伝送される。ＴＶ  ８４０は、受信された携帯電話８２０の状態変更情報に基づいて、ユーザの電話連結受諾を知らせるユーザインターフェースを構成し、今後の状態変更によって適当なユーザインターフェース画面を構成して提供できる。
【０１５１】
図９は、本発明の他の実施形態によって、ユーザが第１デバイスの作動状態変更に応答した場合、第１デバイスとネットワーク上の他のデバイス間の作動状態変更を通知する方法のフローチャートを示す。
【０１５２】
一実施形態による第１デバイスに当るテレフォニーサーバ（ＴＳ）であるユーザの携帯電話９２０及びＴＶ  ９４０がネットワークを構成する。ＴＶ  ９４０は、ＴＣＰ基盤であるか、またはテレフォニークライアント（ＴＣ）を搭載できる。
【０１５３】
広域網９１０を通じて、発信者からユーザの携帯電話９２０に対して呼出し信号が要請（ＩＮＶＩＴＥ）され（ｓ９１２）、ユーザの携帯電話９２０に呼出し信号が受信されている（Ｒｉｎｇｉｎｇ）ことが発信者に通知される（ｓ９２２）。
【０１５４】
携帯電話９２０に現在呼出し信号の受信中であることを知らせる作動状態変更情報を伝送し、電話がかかっている（Ｒｉｎｇｉｎｇ）ことをＴＶ  ９４０に通知（ＥＶＥＮＴ  ＮＯＴＩＦＹ）できる（ｓ９２４）。ＴＶ  ９４０は、ディスプレイ画面上に電話がかかっていることを知らせる（Ｃａｌｌ  ＮＯＴＩＦＩＣＡＴＩＯＮ）ためのユーザインターフェースを表示できる（ｓ９４２）。
【０１５５】
ユーザが携帯電話９２０を通じて電話連結を受諾させる呼出し信号を拒絶した場合（ｓ９２６）。これによって携帯電話９２０は発信者に拒絶メッセージ（ＢＵＳＹ）を伝送し（ｓ９２８）、ＴＶ  ９４０に対して‘携帯電話を通じて電話連結が拒絶され（ＲｅｊｅｃｔｅｄＯｎＭｏｂ）’を通知（ＥＶＮＥＴ  ＮＯＴＩＦＹ）できる（ｓ９３０）。これによって、ＴＶ  ９４０は、ディスプレイ画面上で電話がかかっていることを知らせる（Ｃａｌｌ  ＮＯＴＩＦＩＣＡＴＩＯＮ）ためのユーザインターフェースを削除し、携帯電話を通じて電話が拒絶されたことを公知（Ｒｅｊｅｃｔｅｄ  ｏｎ  Ｍｏｂｉｌｅ  Ｎｏｔｉｆｉｃａｔｉｏｎ）するためのユーザインターフェースを新たに表示できる（ｓ９４４）。
【０１５６】
したがって、一実施形態によるデバイス状態変更通知方法及び他のデバイス状態変更通知方法によれば、‘ユーザが携帯電話９２０を通じて電話連結を拒絶’して、‘連結解除状態’の２つの情報を含む作動状態変更情報をＴＶ  ９４０に伝送する。ＴＶ  ９４０は、受信された携帯電話９２０の状態変更情報に基づいて、ユーザが電話連結を拒絶することを知らせるユーザインターフェースを構成し、今後の状態変更によって適当なユーザインターフェース画面を構成して提供できる。
【０１５７】
図７ないし図９を参照して前述された携帯電話の作動状態変更情報のうち、どのデバイスを通じて作動状態が変更されたかを示す情報及び現在状態情報を含む状態変更情報は、下記の表１のように表現される。
【０１５８】
【表１】
2013524377.tif 000003
すなわち、表１に記載した状態変更情報が、リストに登録されたネットワーク内のデバイスのうち、ユーザが用いていると検索された少なくとも１つのデバイスに伝送される。
【０１５９】
一方、前述した本発明の実施形態は、コンピュータで実行されるプログラムで作成でき、コンピュータで読み取り可能な記録媒体を用いて前記プログラムを動作させる汎用デジタルコンピュータで具現できる。前記コンピュータで読み取り可能な記録媒体は、マグネチック記録媒体（例えば、ＲＯＭ、フロッピー（登録商標）ディスク、ハードディスクなど）、光学的判読媒体（例えば、ＣＤ−ＲＯＭ、ＤＶＤなど）及びキャリアウエーブ（例えば、インターネットを通じる伝送）などの記録媒体を含む。
【０１６０】
以上、本発明についてその望ましい実施形態を中心として説明した。当業者ならば、本発明が本発明の本質的な特性から逸脱しない範囲で変形された形態で具現される可能性があることを理解できるであろう。したがって、開示された実施形態は、限定的な観点ではなく、説明的な観点で考慮されねばならない。本発明の範囲は、前述した説明ではなく、特許請求の範囲に示されており、それと同等な範囲内にあるすべての差は本発明に含まれていると解釈されねばならない。
【図１】
2013524377.tif 000004
【図２】
2013524377.tif 000005
【図３Ａ】
2013524377.tif 000006
【図３Ｂ】
2013524377.tif 000007
【図４Ａ】
2013524377.tif 000008
【図４Ｂ】
2013524377.tif 000009
【図４Ｃ】
2013524377.tif 000010
【図４Ｄ】
2013524377.tif 000011
【図４Ｅ】
2013524377.tif 000012
【図４Ｆ】
2013524377.tif 000013
【図５】
2013524377.tif 000014
【図６】
2013524377.tif 000015
【図７】
2013524377.tif 000016
【図８】
2013524377.tif 000017
【図９】
2013524377.tif 000018
【国際調査報告】
2013524377.tif 000019
2013524377.tif 000020